(57)【要約】【目的】  特に、従来に比べて入力部に悪影響を及ぼさず、簡単且つ適切に引き剥がすことができる保護シートを備えた入力装置を提供することを目的とする。【解決手段】  操作位置を検出可能な入力部２と、非入力部３と、非入力部の裏面に配置された封止部材１０と、入力部の裏面への貼着面を備える保護シート１２と、を有する。保護シートにはタブ２５が貼り付けられている。タブには、先端側の接着領域２６と後端側の摘み領域２７とが設けられている。摘み領域２７が接着領域２６よりも保護シート１２の内側に配置されるように、接着領域２６が、保護シートの隅部３０近傍にて貼着されている。接着領域２６の先端部２６ａ，２６ｂは、保護シートの隅部３０を構成する側端部１２ｃ、１２ｄよりも内側に位置するとともに側端部１２ｃ，１２ｄに沿うように形成されている。【選択図】図２
2013149182.tif 000002
【特許請求の範囲】
【請求項１】
操作位置を検出可能な入力部と、前記入力部の側方に位置する非入力部と、前記非入力部の裏面に配置された裏面部材と、前記入力部の裏面への貼着面を備える保護シートと、を有し、
前記保護シートの前記貼着面に対する反対側の面には、前記保護シートを引き剥がすためのタブが貼り付けられており、
前記タブには、先端側の接着領域と後端側の摘み領域とが設けられており、前記摘み領域が前記接着領域よりも前記保護シートの内側に配置されるように、前記接着領域が、前記保護シートの隅部近傍にて貼着されており、
前記接着領域の先端部は、前記保護シートの前記隅部を構成する側端部よりも内側に位置するとともに前記側端部に沿うように形成されていることを特徴とする入力装置。
【請求項２】
前記隅部は、左右方向（Ｘ）に延出する第１側端部及び、前記左右方向に対して直交する前後方向（Ｙ）に延出する第２側端部により構成され、前記接着領域の先端部は、前記第１側端部から第１の間隔を空けて前記保護シートの内側に位置する第１先端部と、前記第２側端部から第２の間隔を空けて前記保護シートの内側に位置する第２先端部を備える請求項１記載の入力装置。
【請求項３】
前記第１の間隔と前記第２の間隔は等しい請求項２記載の入力装置。
【請求項４】
前記裏面部材は表示装置に対する粘着性を有する封止部材である請求項１ないし３のいずれか１項に記載の入力装置。
【発明の詳細な説明】
【技術分野】
【０００１】
本発明は、入力部の裏面に貼着された保護シートを引き剥がすためのタブの構成に関する。
【背景技術】
【０００２】
下記特許文献１に記載された発明には、偏光板の表面に貼着された保護フィルムの隅に保護フィルムを引き剥がすための剥離用テープが設けられた構成が開示されている。
【０００３】
剥離用テープは保護フィルムに固着された状態で外方に突出している。そして、この突出した部分を折り曲げた状態にして引っ張ることで、保護フィルムを引き剥がすことができる。
【先行技術文献】
【特許文献】
【０００４】
【特許文献１】特開平５−２７３４１３号公報
【発明の概要】
【発明が解決しようとする課題】
【０００５】
しかしながら特許文献１に記載された発明では、以下の問題点がある。
まず剥離用テープを折り曲げることが必要になり、工程数が増える。また保護フィルムに対する折り曲げ方向にばらつきがあると、剥離力が保護フィルムに適切に伝わらない場合があり、剥離用テープが保護フィルムから優先的に剥がれてしまう不具合も生じやすい。
【０００６】
また、図５（図５では、入力部の裏面に保護フィルムを貼着する前の状態を示す）に示すように、入力部７０の周囲に位置する非入力部７１の裏面に例えば表示装置に対する封止部材（ガスケット）７２が設けられ、入力部７０の裏面７０ａに特許文献１に示す保護フィルム７３が貼着される構成では、保護フィルム７３の隅からとび出す剥離用テープ７４を封止部材７２にぶつからないように取り付けることが困難である。
【０００７】
さらに、剥離用テープ７４と保護フィルム７３間の接着剤７５が保護フィルム７３の側端部にまで達しているため、仮に剥離用テープ７４を備えた保護フィルム７３を入力部７０の裏面７０ａに貼着できたとしても、例えば高温や高湿の環境下により接着剤７５が入力部７０の裏面７０ａにまで移行して入力部７０に残ってしまい、入力部７０の裏面７０ａが汚れる不具合が生じやすい。
【０００８】
そこで本発明は上記従来の課題を解決するためのものであり、特に、従来に比べて入力部に悪影響を及ぼさず、簡単且つ適切に引き剥がすことができる保護シートを備えた入力装置を提供することを目的とする。
【課題を解決するための手段】
【０００９】
本発明における入力装置は、
操作位置を検出可能な入力部と、前記入力部の側方に位置する非入力部と、前記非入力部の裏面に配置された裏面部材と、前記入力部の裏面への貼着面を備える保護シートと、を有し、
前記保護シートの前記貼着面に対する反対側の面には、前記保護シートを引き剥がすためのタブが貼り付けられており、
前記タブには、先端側の接着領域と後端側の摘み領域とが設けられており、前記摘み領域が前記接着領域よりも前記保護シートの内側に配置されるように、前記接着領域が、前記保護シートの隅部近傍にて貼着されており、
前記接着領域の先端部は、前記保護シートの前記隅部を構成する側端部よりも内側に位置するとともに前記側端部に沿うように形成されていることを特徴とするものである。
【００１０】
本発明では、タブの接着領域の先端部を、保護シートの隅部を構成する側端部よりも内側に位置させている。このため、環境変化等によってタブの接着剤が入力部に移行したりせず、入力部が汚れるなどの悪影響を与えることがない。また、本発明では、タブを保護シートの隅部近傍に設置し、さらにタブの接着領域の先端部を、前記隅部を構成する側端部よりも内側に位置させるとともに前記側端部に沿うように形成した。これにより、接着領域の面積を広くとることができ、また引き剥がす際の方向を問わず剥離力を略一定にでき、簡単且つ適切に保護シートを引き剥がすことができる。
【００１１】
本発明では、前記隅部は、左右方向（Ｘ）に延出する第１側端部及び、前記左右方向に対して直交する前後方向（Ｙ）に延出する第２側端部により構成され、前記接着領域の先端部は、前記第１側端部から第１の間隔を空けて前記保護シートの内側に位置する第１先端部と、前記第２側端部から第２の間隔を空けて前記保護シートの内側に位置する第２先端部を備えることが好ましい。このとき、前記第１の間隔と前記第２の間隔は等しいことが好ましい。これにより、剥離力を引き剥がし方向を問わず、より一定にでき、保護シートを引き剥がしをより簡単且つ適切に行うことができる。
【００１２】
また本発明では、前記裏面部材は表示装置に対する粘着性を有する封止部材であることが好ましい。
【発明の効果】
【００１３】
本発明の入力装置によれば、従来に比べて、簡単且つ適切に保護シートを引き剥がすことができる。
【図面の簡単な説明】
【００１４】
【図１】図１（ａ）は、本実施形態における入力装置の裏面図であり、図１（ｂ）は、図１（ａ）に示すＡ−Ａ線に沿って切断し矢印方向から見た縦断面図である。
【図２】図２は、図１（ａ）の示すタブ付近を拡大して示した入力装置の部分拡大裏面図である。
【図３】図３（ａ）〜図３（ｃ）は、本実施形態における保護シートを、タブを引っ張って引き剥がすときの、タブ及び保護シートの形状変化を示す部分縦断面図である。
【図４】図４（ａ）〜図４（ｂ）は、本実施形態における入力装置の一部分を拡大して示した部分拡大縦断面図である。
【図５】図５は、従来の問題点を説明するための入力装置の部分縦断面図である。
【発明を実施するための形態】
【００１５】
図１（ａ）は、本実施形態における入力装置の裏面図であり、図１（ｂ）は、図１（ａ）に示すＡ−Ａ線に沿って切断し矢印方向から見た縦断面図、図２は、図１（ａ）の示すタブ付近を拡大して示した入力装置の部分拡大裏面図、図３（ａ）〜図３（ｃ）は、本実施形態における保護シートを、タブを引っ張って引き剥がすときの、タブ及び保護シートの形状変化を示す部分縦断面図、図４（ａ）〜図４（ｂ）は、本実施形態における入力装置の一部分を拡大して示した部分拡大縦断面図である。
【００１６】
ここで、各図においてＸ１方向は左方向、Ｘ２方向は右方向、Ｙ１方向は前方、Ｙ２方向は後方であると定義される。Ｚ１−Ｚ２方向は高さ方向（図１（ａ）において紙面に垂直方向）である。
【００１７】
図１に示す入力装置１は、入力部２と、前記入力部２の周囲に位置する非入力部３と、を有して構成される。入力部２は、図１（ｂ）に示すＺ２方向が指し示す面側（表面側）が入力操作面２ａであり、例えば指で入力操作すると、その操作位置を検知することが可能とされている。
【００１８】
入力部２の構成は特に限定されるものでないが、例えば透明なガラス部材４と、前記ガラス部材４の裏面４ａに配置されたセンサ部５とを有して構成される。センサ部５は例えば透明な樹脂基材にＸ電極及びＹ電極が積層された静電容量式センサである。ただしセンサ部５の構成は、指等で入力操作面２ａを操作したときにその操作位置を検出できるものであれば特に限定されるものでない。
【００１９】
なお、図１に示す実施形態においては、入力部２の裏面２ｂとは、センサ部５の裏面を指している。
【００２０】
図１（ｂ）に示すようにガラス部材４の裏面４ａの周縁部には加飾層７が形成され、加飾層７の部分は非入力部３とされている。なお「非入力部３」とは加飾層７が施されるなどして非透光性とされた部分を指す。したがって非入力部３の裏面にまでセンサ部５が配置され、非入力部３の位置をセンサ部５で検知可能な状態されていてもよい。
【００２１】
図１（ａ）（ｂ）に示すように、非入力部３の裏面３ａには、入力部２の周囲を囲む枠状の封止部材（ガスケット；裏面部材）１０が配置されている。粘着性を有する封止部材１０は例えば両面粘着テープであるが、裏面部材として特に材質や形状、構造を限定するものでない。図１（ｂ）に示すように、封止部材１０は、液晶ディスプレイ等の表示装置１１を固定支持し、封止部材１０により表示装置１１と入力部２間に塵等が混入しないように遮蔽できる。なお本実施形態における入力装置１には、表示装置１１は構成要件として含まない。
【００２２】
図１（ａ）（ｂ）に示すように入力部２の裏面２ｂには、保護シート１２が貼着されている。図３に示すように保護シート１２は、ベースフィルム（基材）１３と、ベースフィルム１３の下面（貼着面）に設けられた粘着層１４とを有して構成される。ベースフィルム１３の材質は特に限定されないがＰＥＴフィルム等の可撓性の透明樹脂が好ましく適用される。
【００２３】
粘着層１４は、粘着性と剥離性の相反する特性をバランス良く備えた特殊な粘着層である。すなわち粘着層１４は、入力部２の保護面（裏面）に対して、ある程度の大きな吸着力（保持力）とともに、剥がし易さを併せ持っている。粘着層１４の材質は、ウレタン系やシリコン系粘着剤等で形成される。
【００２４】
図１（ａ）では保護シート１２は矩形状とされているが、保護シート１２の形状は入力部２の形状に左右される。
【００２５】
また図１（ｂ）に示すように、入力部２の入力操作面２ａにも保護シート２０が貼着されている。ただし本実施形態の特徴的部分は、入力部２の裏面２ｂに貼着された保護シート１２のタブ２５に関する。
【００２６】
図１（ａ）、図２に示すように、タブ２５には、先端側の接着領域２６と、後端側の摘み領域２７とが設けられる。図３（ａ）に示すように、タブ２５は、例えば樹脂基材２８と接着層２９とを有して構成され、接着層２９はタブ２５の接着領域２６にて樹脂基材２８と保護シート１２間に介在している。摘み領域２７における樹脂基材２８には例えば色が付されており、人が摘み領域２７であることを視認しやすいようになっている。
【００２７】
接着層２９に用いられる材質は、ゴム系粘着剤等である。接着層２９は、保護シート１２のベースフィルム１３下に設けられた粘着層１４よりも接着性に優れたものであることが好適である。
【００２８】
図２に示すように、摘み領域２７は、接着領域２６よりも保護シート１２の内側に配置されるように、接着領域２６が保護シート１２の隅部３０近傍にて貼着されている。
【００２９】
ここで保護シート１２の隅部３０は、左右方向（Ｘ）に延出する第１側端部１２ｃと、前後方向（Ｙ）に延出する第２側端部１２ｄにより構成されている。隅部３０は、第１側端部１２ｃと第２側端部１２ｄとが接する角３０ａのみを指すのではなく、この角３０ａから左方向（Ｘ１）及び前方（Ｙ１）に延びる第１側端部１２ｃ及び第２側端部１２ｄにて構成される、角３０ａ付近の直角部分を指す。なお前記直角部分は、保護シート１２のＸ方向及びＹ方向の長さ寸法に対して例えば１／３以下、あるいは１／６程度であるが、入力部２の大きさや入力部２の形状等によって隅部３０がどの領域であるのか適宜決定できる。保護シート１２が図１に示すような矩形状でなく、入力部２の形状に合わせて例えば湾曲部を備える形状とされている場合でも、基本的には延出方向の異なる複数の側端部が接してできた、角に類似する形状部分や先細る部分を隅部と定義できる。
【００３０】
図２に示すように、タブ２５の接着領域２６の先端部は、保護シート１２の第１側端部１２ｃから第１の間隔Ｔ１を空けて保護シート１２の内側に位置する第１先端部２６ａと、第２側端部１２ｄから第２の間隔Ｔ２を空けて保護シート１２の内側に位置する第２先端部２６ｂとを備える。第１先端部２６ａは、左右方向（Ｘ１−Ｘ２）に沿って形成され、第２先端部２６ｂは、前後方向（Ｙ１−Ｙ２）に沿って形成される。すなわち接着領域２６の先端部も、保護シート１２の隅部３０と同様に直角形状とされている。そして、第１の間隔Ｔ１及び第２の間隔Ｔ２は均等とされている。なお「均等」の許容範囲には製造誤差が含まれる。
【００３１】
また図２に示す接着領域２６と摘み領域２７との境界部２５ａは、左右方向（Ｘ）及び前後方向（Ｙ）に対して夫々略４５度傾く方向である。
【００３２】
図３（ｂ）に示すように、指Ｆでタブ２５の摘み領域２７を摘み、図３（ｃ）の矢印方向に引っ張ると、タブ２５に接着層２９を介して貼着された保護シート１２を入力部２の裏面２ｂから引き剥がすことができる。
【００３３】
本実施形態では、タブ２５の接着領域２６を、保護シート１２の隅部３０を構成する側端部１２ｃ、１２ｄよりも内側に位置させている。このため、タブ２５下の接着層（接着剤）２９が、環境変化等によって入力部２へ移行せず、したがって入力部２を汚す等という悪影響を与えない構成となっている。
【００３４】
また本実施形態では、タブ２５を保護シート１２の隅部３０近傍に設置し、さらにタブ２５の接着領域２６の先端部２６ａ，２６ｂを、隅部３０を構成する側端部１２ｃ，１２ｄよりも内側に位置させるとともに側端部１２ｃ、１２ｄに沿うように形成した。これにより接着領域２６の面積を広く取ることができる。また図２に示すようにタブ２５の摘み領域２７を摘んで、タブ２５を斜め約４５度の方向に引っ張った場合Ａ、タブ２５を左方向（Ｘ１）に引っ張った場合Ｂ、タブ２５を前方方向（Ｙ１）に引っ張った場合Ｃとで保護シート１２に対する剥離力の差を小さくできる。特に本実施形態では、間隔Ｔ１，Ｔ２を均等にしているため、引き剥がし方向を問わず前記剥離力をより好ましく略一定にできる。この結果、保護シート１２を簡単且つ適切に引き剥がすことが可能になる。
【００３５】
図４（ａ）では、入力部２よりも保護シート１２が幅寸法Ｔ３だけ外側にはみ出した形態である。図４（ｂ）では、入力部２と保護シート１２の外縁が一致している形態である。図４（ｃ）では、入力部２よりも保護シート１２が幅寸法Ｔ４だけ内側に位置した形態である。保護シート１２と入力部２との位置関係は、入力部２の形状、加飾層７の配置、封止部材１０の配置等によって適宜、変更することができる。
【００３６】
本実施形態の入力装置１は、図１（ｂ）に示した形態（表示装置１１を構成要件として含まない）であり、入力装置１の納入先等で、図３で示したように保護シート１２を入力部２の裏面２ｂから剥がして、入力部２の裏面２ｂ側に表示装置１１を設置する。入力部２の入力操作面２ａに貼着された保護シート２０は納入先、あるいはユーザーが引き剥がす。
【符号の説明】
【００３７】
１  入力装置
２  入力部
２ａ  入力操作面
３  非入力部
４  ガラス部材
５  センサ部
７  加飾層
１０  封止部材
１１  表示装置
１２、２０  保護シート
１２ｃ  第１側端部
１２ｄ  第２側端部
２５  タブ
２６  接着領域
２６ａ  第１先端部
２６ｂ  第２先端部
２７  摘み領域
２８  樹脂基材
２９  接着層
３０  隅部
３０ａ  角
【図１】
2013149182.tif 000003
【図２】
2013149182.tif 000004
【図３】
2013149182.tif 000005
【図４】
2013149182.tif 000006
【図５】
2013149182.tif 000007